(57)【要約】【課題】  表示能力の小さい表示器を用いても、利用者に対して各種情報を表示するとともに、外部機器で出力すべき情報を伝達することができる情報表示装置等を提供する。【解決手段】  情報提供システム１において、情報表示装置１０ではコネクタ１２から入力された画像表示用データに基づいて、利用者が視認可能なメイン画像と、情報取得装置２０が読取り可能であって、かつ利用者が視認不可能なサブ画像とが、ＬＥＤディスプレイ部１３に交互に表示される。利用者は、ＬＥＤディスプレイ部１３に表示されたメイン情報をみて、より詳細なサブ情報を参照したい場合は、ＬＥＤディスプレイ部１３に表示されたサブ画像を情報取得装置２０に読取らせる。情報取得装置２０では、フォトセンサ２２により読取られたサブ画像がサブ情報に変換されて、当該サブ情報が液晶ディスプレイ２４に表示される。【選択図】  図１
2006330092.tif 000002
【特許請求の範囲】
【請求項１】
表示データに基づいて表示器に備えられた複数の画素を各々駆動して、該表示データに基づく画像を表示する情報表示装置において、
利用者に提供する第１情報を示し、かつ利用者が視認可能な画像を表現する第１情報データと、利用者に提供する第２情報を示し、かつ読取装置が読取り可能な画像を表現する第２情報データとを含む前記表示データに基づいて、前記複数の画素を各々駆動する画素駆動手段を備えたことを特徴とする情報表示装置。
【請求項２】
前記表示データは、前記第１情報データと前記第２情報データとが交互に複数並べられたデータ列で構成されていることを特徴とする請求項１に記載の情報表示装置。
【請求項３】
前記第１情報データは、少なくとも利用者が視認可能となる表示時間で、前記画素駆動手段に前記複数の画素を各々駆動させるものであり、
前記第２情報データは、少なくとも読取装置が読取り可能となる表示時間で、かつ利用者が視認できない表示時間で、前記画素駆動手段に前記複数の画素を各々駆動させることを特徴とする請求項１又は２に記載の情報表示装置。
【請求項４】
前記第２情報データは、該第２情報データを構成するデータ列の先頭に、第２情報データであることを示し、かつ読取装置がそれによって読み取りの同期を取るための同期信号を含むことを特徴とする請求項２又は３に記載の情報表示装置。
【請求項５】
前記表示データは、前記第１情報データと前記第２情報データとを並列に包含したデータ列で構成されていることを特徴とする請求項１に記載の情報表示装置。
【請求項６】
前記表示データは、該表示データに含まれる前記第１情報データに基づいて、前記画素駆動手段に前記複数の画素の一部を各々駆動させると同時に、該表示データに含まれる前記第２情報データに基づいて、前記画素駆動手段に前記複数の画素の残りの一部又は全部を各々駆動させることを特徴とする請求項５に記載の情報表示装置。
【請求項７】
前記表示データは、前記第１情報データに基づく画像と前記第２情報データに基づく画像とが各々異なる表示領域に表示されるように、前記画素駆動手段に前記複数の画素を各々駆動させることを特徴とする請求項６に記載の情報表示装置。
【請求項８】
前記表示データは、前記第１情報データに基づく画像と前記第２情報データに基づく画像とが各々異なる色調で表示されるように、前記画素駆動手段に前記複数の画素を各々駆動させることを特徴とする請求項６又は７に記載の情報表示装置。
【請求項９】
前記複数の画素の各々は、互いに近接して配設された複数のＬＥＤにより構成され、
前記画素駆動手段は、前記複数のＬＥＤを各々駆動させることを特徴する請求項１乃至８のいずれかに記載の情報表示装置。
【請求項１０】
表示データに基づいて表示器に備えられた複数の画素を各々駆動して、該表示データに基づく画像を表示する情報表示装置と、該情報表示装置において表示された画像を読取って、該画像に基づいて情報を取得する情報取得装置とからなる情報提供システムであって、
前記情報表示装置は、
利用者に提供する第１情報を示し、かつ利用者が視認可能な画像を表現する第１情報データと、利用者に提供する第２情報を示し、かつ前記情報取得装置が読取り可能な画像を表現する第２情報データとを含む前記表示データに基づいて、前記複数の画素を各々駆動する画素駆動手段を備え、
前記情報取得装置は、
前記情報表示装置において表示された画像を読取る画像読取手段と、
前記画像読取手段により読取られた画像のうちで、前記第２情報データに基づく画像を抽出する第２情報データ抽出手段と、
前記第２情報データ抽出手段により抽出された画像を、前記第２情報に変換する情報変換手段と、
前記情報変換手段により変換された第２情報を出力する情報出力手段と
を備えたことを特徴とする情報提供システム。
【発明の詳細な説明】
【技術分野】
【０００１】
本発明は、利用者に対して各種情報を表示するとともに、外部機器で出力すべき情報を伝達するための情報表示装置及び情報提供システムに関するものである。
【背景技術】
【０００２】
従来、各種センサなどによりセンシングされた情報や外部機器から入力された情報などを、利用者に対して表示するためにＬＥＤディスプレイや有機ＥＬディスプレイなどの表示器（ディスプレイ）が用いられている。そして、これらのディスプレイにおいて、利用者に対して各種情報を表示するとともに、その各種情報に関連する詳細情報を表示することが知られている。例えば、温度センサにより計測された気温「３０℃」を表示するとともに、その詳細情報として「本日の最高気温／最低気温」や「昨日の気温」などを小さく表示するなどである。
【０００３】
また、ディスプレイにおいて、利用者に対する各種情報を表示するとともに、外部機器に対して各種情報を伝達するものが知られている。例えば、情報提供システムにおいて、入力された情報に含まれる主情報を、主情報表示部で電光文字やテレビジョン映像として表示する一方、入力された情報に含まれる副情報を、多次元ドットコード表示部で多次元ドットコードとして表示する。そして、利用者は主情報に興味があれば、情報取り込みシステムにおいて多次元ドットコード表示部を撮影して、その撮影画像をデコードすることで副情報を得るようにした多次元ドットコードを用いた情報授受システムが知られている（例えば、特許文献１参照）。
【特許文献１】特開２００５−３８１８１号公報
【発明の開示】
【発明が解決しようとする課題】
【０００４】
ところで、これらのディスプレイを各種電子機器に具備させる場合には、筐体の小型化や軽量化を実現するために、より小型のディスプレイを用いるのが好適である。しかしながら、小型のディスプレイでは画素数や解像度などが制限されるために表示能力が小さくなり、詳細情報を十分に表示することが困難であるという問題があった。
【０００５】
また、特許文献１によれば、各種情報（主情報）を情報提供システム側で表示するとともに、詳細情報（副情報）を情報取り込みシステム側で表示させることができる。しかしながら、主情報を表示するための主情報表示部の他に、副情報を表示するための多次元ドットコード表示部を、情報提供システムに設ける必要がある。このように、情報提供システムに複数のディスプレイ部を設けると、筐体の大型化や重量化の原因となるうえ、システム構成が複雑となり製造コストが増加するという問題があった。
【０００６】
本発明は、上記課題を解決するためになされたものであり、表示能力の小さい表示器を用いても、利用者に対して各種情報を表示するとともに、外部機器で出力すべき情報を伝達することができる情報表示装置を提供することを目的とする。そして、利用者に対して各種情報を表示する一方、利用者が詳細情報を欲する場合などには、それらの情報を外部機器で出力させることができる情報提供システムを提供することを目的とする。
【課題を解決するための手段】
【０００７】
上記目的を達成するために、請求項１に係る発明の情報表示装置は、表示データに基づいて表示器に備えられた複数の画素を各々駆動して、該表示データに基づく画像を表示する情報表示装置において、利用者に提供する第１情報を示し、かつ利用者が視認可能な画像を表現する第１情報データと、利用者に提供する第２情報を示し、かつ読取装置が読取り可能な画像を表現する第２情報データとを含む前記表示データに基づいて、前記複数の画素を各々駆動する画素駆動手段を備えている。
【０００８】
また、請求項２に係る発明の情報表示装置は、請求項１に記載の発明の構成に加え、前記表示データは、前記第１情報データと前記第２情報データとが交互に複数並べられたデータ列で構成されていることを特徴とする。
【０００９】
また、請求項３に係る発明の情報表示装置は、請求項１又は２に記載の発明の構成に加え、前記第１情報データは、少なくとも利用者が視認可能となる表示時間で、前記画素駆動手段に前記複数の画素を各々駆動させるものであり、前記第２情報データは、少なくとも読取装置が読取り可能となる表示時間で、かつ利用者が視認できない表示時間で、前記画素駆動手段に前記複数の画素を各々駆動させることを特徴とする。
【００１０】
また、請求項４に係る発明の情報表示装置は、請求項２又は３に記載の発明の構成に加え、前記第２情報データは、該第２情報データを構成するデータ列の先頭に、第２情報データであることを示し、かつ読取装置がそれによって読み取りの同期を取るための同期信号を含むことを特徴とする。
【００１１】
また、請求項５に係る発明の情報表示装置は、請求項１に記載の発明の構成に加え、前記表示データは、前記第１情報データと前記第２情報データとを並列に包含したデータ列で構成されていることを特徴とする。
【００１２】
また、請求項６に係る発明の情報表示装置は、請求項５に記載の発明の構成に加え、前記表示データは、該表示データに含まれる前記第１情報データに基づいて、前記画素駆動手段に前記複数の画素の一部を各々駆動させると同時に、該表示データに含まれる前記第２情報データに基づいて、前記画素駆動手段に前記複数の画素の残りの一部又は全部を各々駆動させることを特徴とする。
【００１３】
また、請求項７に係る発明の情報表示装置は、請求項６に記載の発明の構成に加え、前記表示データは、前記第１情報データに基づく画像と前記第２情報データに基づく画像とが各々異なる表示領域に表示されるように、前記画素駆動手段に前記複数の画素を各々駆動させることを特徴とする。
【００１４】
また、請求項８に係る発明の情報表示装置は、請求項６又は７に記載の発明の構成に加え、前記表示データは、前記第１情報データに基づく画像と前記第２情報データに基づく画像とが各々異なる色調で表示されるように、前記画素駆動手段に前記複数の画素を各々駆動させることを特徴とする。
【００１５】
また、請求項９に係る発明の情報表示装置は、請求項１乃至８のいずれかに記載の発明の構成に加え、前記複数の画素の各々は、互いに近接して配設された複数のＬＥＤにより構成され、前記画素駆動手段は、前記複数のＬＥＤを各々駆動させることを特徴する。
【００１６】
また、請求項１０に係る発明の情報提供システムは、表示データに基づいて表示器に備えられた複数の画素を各々駆動して、該表示データに基づく画像を表示する情報表示装置と、該情報表示装置において表示された画像を読取って、該画像に基づいて情報を取得する情報取得装置とからなる情報提供システムであって、前記情報表示装置は、利用者に提供する第１情報を示し、利用者が視認可能な画像を表現する第１情報データと、利用者に提供する第２情報を示し、前記情報取得装置が読取り可能な画像を表現する第２情報データとを含む前記表示データに基づいて、前記複数の画素を各々駆動する画素駆動手段を備え、前記情報取得装置は、前記情報表示装置において表示された画像を読取る画像読取手段と、前記画像読取手段により読取られた画像のうちで、前記第２情報データに基づく画像を抽出する第２情報データ抽出手段と、前記第２情報データ抽出手段により抽出された画像を、前記第２情報に変換する情報変換手段と、前記情報変換手段により変換された第２情報を出力する情報出力手段とを備えている。
【発明の効果】
【００１７】
請求項１に係る発明の情報表示装置では、複数の画素を備えた表示器に表示データに基づく画像を表示するものであって、利用者が視認可能な画像を表現する第１情報データと、読取装置が読取り可能な画像を表現する第２情報データとを含む表示データに基づいて、複数の画素を各々駆動させるようにした。よって、表示能力の小さい表示器を用いても、利用者に対して各種情報を表示するとともに、外部機器で出力すべき情報を伝達することができる。
【００１８】
また、請求項２に係る発明の情報表示装置では、請求項１に記載の発明の効果に加え、第１情報データと第２情報データとが交互に複数並べられたデータ列で、表示データを構成した。よって、１つの表示データに基づいて、表示器において第１情報データに基づく画像及び第２情報データに基づく画像を交互に表示することができる。
【００１９】
また、請求項３に係る発明の情報表示装置では、請求項１又は２に記載の発明の効果に加え、第１情報データは少なくとも利用者が視認可能となる表示時間で表示され、第２情報データは少なくとも読取装置が読取り可能であり、かつ利用者が視認できない表示時間で表示されるようにした。よって、表示器に表示される画像のうちで、利用者は第１情報データに基づく画像のみを視認することができる一方、読取装置は第２情報データに基づく画像のみを取得することができる。
【００２０】
また、請求項４に係る発明の情報表示装置では、請求項２又は３に記載の発明の効果に加え、第２情報データはデータ列の先頭に同期信号（プリアンブル信号）を含むようにした。よって、表示器に表示される画像のうちで、読取装置は第２情報データに基づく画像のみを確実に判別して取得することができる。
【００２１】
また、請求項５に係る発明の情報表示装置では、請求項１に記載の発明の効果に加え、第１情報データと第２情報データとを並列に包含したデータ列で、表示データを構成した。よって、１つの表示データに基づいて、表示器において第１情報データに基づく画像及び第２情報データに基づく画像を同時に表示することができる。
【００２２】
また、請求項６に係る発明の情報表示装置では、請求項５に記載の発明の効果に加え、表示データは、第１情報データに基づいて複数画素の一部を各々駆動させると同時に、第２情報データに基づいて複数画素の残りの一部又は全部を各々駆動させる。よって、表示器において、第１情報データに基づく画像及び第２情報データに基づく画像をそれぞれ異なる画素を用いて表示するので、第１情報データに基づく画像及び第２情報データに基づく画像を区別して表示することができる。
【００２３】
また、請求項７に係る発明の情報表示装置では、請求項６に記載の発明の効果に加え、表示データは、第１情報データに基づく画像と第２情報データに基づく画像とが各々異なる表示領域に表示されるように、複数画素を各々駆動させる。よって、表示器において、第１情報データに基づく画像及び第２情報データに基づく画像をそれぞれ異なる表示領域に表示するので、第１情報データに基づく画像及び第２情報データに基づく画像を区別して表示することができる。
【００２４】
また、請求項８に係る発明の情報表示装置では、請求項６又は７に記載の発明の効果に加え、表示データは、第１情報データに基づく画像と第２情報データに基づく画像とを各々異なる色調で表示させる。よって、表示器において、第１情報データに基づく画像及び第２情報データに基づく画像をそれぞれ異なる色調で表示するので、第１情報データに基づく画像及び第２情報データに基づく画像を区別して表示することができる。
【００２５】
また、請求項９に係る発明の情報表示装置では、請求項１乃至８のいずれかに記載の発明の効果に加え、複数の画素の各々を、互いに近接して配設された複数のＬＥＤにより構成した。よって、表示器としてＬＥＤディスプレイを用いて、本発明の情報表示装置を実装することができる。
【００２６】
また、請求項１０に係る発明の情報提供システムでは、複数の画素を備えた表示器に表示データに基づく画像を表示するものであって、利用者が視認可能な画像を表現する第１情報データと、読取装置が読取り可能な画像を表現する第２情報データとを含む表示データに基づいて、複数の画素を各々駆動させる情報表示装置と、情報表示装置で表示された画像を読取って第２情報データに基づく画像を抽出し、その抽出画像を第２情報に変換して出力する情報取得装置とから構成される。よって、利用者に対して各種情報を表示する一方、利用者が詳細情報などを欲する場合には、それらの情報を外部機器で出力させることができる。
【発明を実施するための最良の形態】
【００２７】
以下、本発明の第１の実施の形態に係る情報提供システム１を説明する。図１は、情報提供システム１のシステム構成図である。図２は、情報表示装置１０に具備されたＬＥＤディスプレイ部１３に内蔵されているＬＥＤ駆動回路である。
【００２８】
まず、情報提供システム１の全体構成について説明する。図１に示すように、情報提供システム１は、利用者に対して各種情報を表示するとともに、外部機器で出力すべき情報を伝達するための情報表示装置１０と、情報表示装置１０から伝達される各種情報を取得して、利用者に対して当該情報を出力するための外部機器である情報取得装置２０とで構成されている。本実施の形態では、利用者は情報表示装置１０で表示される各種情報を視認可能な位置にいるものとする。また、情報取得装置２０は、利用者に携行されているものであって、情報表示装置１０で表示される各種情報を読取り可能な位置に存在しているものとする。なお、以下では情報提供システム１が、一対の情報表示装置１０と情報取得装置２０とで構成された場合を例示して説明するが、一方又は両方が複数設けられた構成としてもよい。
【００２９】
情報表示装置１０は、外部から入力された信号に基づいて各種情報を画像として表示する所謂ディスプレイ装置であり、ＲＯＭやＲＡＭを内蔵して情報表示装置１０の制御を司るＣＰＵ１１と、外部のネットワークやコンピュータなどと接続するためのインターフェイスであるコネクタ１２と、互いに近接して配設された複数のＬＥＤにより構成された表示パネルであるＬＥＤディスプレイ部１３とで構成されている。
【００３０】
そして、情報表示装置１０では、外部のネットワークやコンピュータなどからコネクタ１２に画像表示用データ１００（後述の図４参照）が入力されると、この画像表示用データ１００はシリアルＩ／Ｆを介してＣＰＵ１１に入力される。ＣＰＵ１１に入力された画像表示用データ１００は、ＣＰＵ１１の内蔵ＲＡＭ（図示外）に記憶された後、ＬＥＤディスプレイ部１３にポート出力される。そして、ＣＰＵ１１によって、ＬＥＤディスプレイ部１３を構成する複数のＬＥＤが各々駆動されて、ＬＥＤディスプレイ部１３に画像表示用データ１００に基づく画像が表示される。
【００３１】
一方、情報取得装置２０は、読取機能により外部から取得された画像に基づいて、各種情報を出力するための機器である。本実施の形態では、情報取得装置２０は利用者が携帯可能な小型端末であり、例えばカメラ機能を備えた携帯電話機，ＰＤＡ，モバイルＰＣなどである。情報取得装置２０は、外部からの光パターンなどを読取るフォトセンサ２２と、読取データをデジタル信号からアナログ信号に変換するためのＡ／Ｄ変換器２３と、ＲＯＭやＲＡＭを内蔵して情報取得装置２０の制御を司るＣＰＵ２１と、読取データに基づいて各種情報を表示するための液晶ディスプレイ２４とで構成されている。
【００３２】
そして、利用者が情報取得装置２０を操作して、フォトセンサ２２を情報表示装置１０に向けながら、ＬＥＤディスプレイ部１３に表示されている画像を読取ると、フォトセンサ２２により取得された読取データが、Ａ／Ｄ変換器２３によりアナログ信号からデジタル信号に復調される。その後、ＣＰＵ２１に内蔵されたＲＡＭ（図示外）に一次記憶された後、この復調された読取データが出力すべき各種情報に変換される。そして、ＣＰＵ２１により液晶ディスプレイ２４が駆動制御されて、液晶ディスプレイ２４にフォトセンサ２２から読取れた画像に基づく各種情報が表示される。
【００３３】
次に、情報表示装置１０に具備されたＬＥＤディスプレイ部１３の構成について説明する。図２に示すように、ＬＥＤディスプレイ部１３は従来のＬＥＤディスプレイ部と同様のＬＥＤ駆動回路を内蔵しており、本実施の形態では８×８ドットでフルカラー表示が可能なものである。具体的には、入力信号が制御されるＣＰＵ１１のポートに対応する８つのコラムＣ０〜Ｃ７と、電源（Ｐｏｗｅｒ）が制御される８つのトランジスタＴｒ０〜Ｔｒ７との６４交点の各々に、互いに接近して配設される赤（Ｒｒ），緑（Ｒｇ），青（Ｒｂ）の各発光色の３つのＬＥＤが設置されている。このように、多数のＬＥＤがマトリクス状に配置されたＬＥＤディスプレイ部１３では、コラムＣ０〜Ｃ７及びトランジスタＴｒ０〜Ｔｒ７の制御によって、各交点での３つのＬＥＤを点滅駆動させて発光色と明るさとを調整し、フルカラーで１ドットを表示する。これにより、画像表示用データ１００に基づいて、各種情報を示す画像が６４ドットを用いてフルカラーで表示される。
【００３４】
次に、本発明に係る情報表示装置１０のメイン処理を説明する。図３は、情報表示装置１０のメイン処理を示すフローチャートである。図４は、画像表示用データ１００のデータ構成を示す図である。図５は、表示Ｐｈａｓｅポート制御（Ｓ９）を説明するためのタイムチャートである。図６は、送信Ｐｈａｓｅポート制御（Ｓ１５）を説明するためのタイムチャートである。なお、情報表示装置１０のメイン処理（図３）は、情報表示装置１０の電源がオンされると、ＣＰＵ１１により実行される。
【００３５】
図３に示すように、情報表示装置１０のメイン処理では、コネクタ１２を介して外部のネットワークやコンピュータなどから、画像表示用データ１００を受信している場合（Ｓ１：ＹＥＳ）、当該画像表示用データ１００をＣＰＵ１１の内蔵ＲＡＭ（図示外）に記憶させるデータ受信処理が実行される（Ｓ３）。そして、データ受信処理が終了した場合（Ｓ５：ＹＥＳ）、ＲＡＭ（図示外）に記憶されている画像表示用データ１００に基づいて、ＬＥＤディスプレイ部１３における画像表示が開始される（Ｓ７）。なお、画像表示用データ１００の受信がない場合（Ｓ１：ＮＯ）、Ｓ１でデータ受信があるまで待ち状態となる。また、データ受信処理が終了していない場合（Ｓ５：ＮＯ）、Ｓ３に戻ってデータ受信処理が終了するまで待ち状態となる。
【００３６】
ここで、画像表示用データ１００のデータ構成について説明する。図４に示すように、画像表示用データ１００は、利用者に提供するメイン情報を示し、かつ利用者が視認可能なメイン画像を表現する表示Ｐｈａｓｅ１１０と、利用者に提供するサブ情報を示し、かつ情報取得装置２０が読取り可能なサブ画像を表現する送信Ｐｈａｓｅ１２０とが、交互に複数並べられたデータ列で構成されている。本実施の形態では、１つの表示Ｐｈａｓｅ１１０は５０フレームで構成され、また１つの送信Ｐｈａｓｅ１２０は２フレームで構成されているものとする。
【００３７】
そして、表示Ｐｈａｓｅ１１０で示されるメイン情報は、利用者に対して必ず提示する主要情報であり、本実施形態では複数の表示Ｐｈａｓｅ１１０がそれぞれメイン情報「今日の温度（３０℃）」を示すものとする。また、送信Ｐｈａｓｅ１２０で示されるサブ情報は、利用者が必要に応じて参酌するメイン情報に関連する詳細情報であり、本実施形態では複数の送信Ｐｈａｓｅ１２０が全体でサブ情報「昨日の温度（２５℃）」を示すものとする。
【００３８】
なお、複数の送信Ｐｈａｓｅ１２０のうちで、送信Ｐｈａｓｅ（ＳＯＦ）１２０ａは、送信Ｐｈａｓｅ１２０の先頭に位置しており、送信Ｐｈａｓｅ１２０の開始を指示するための開始コード（ＳＯＦ）が格納されている。また、送信Ｐｈａｓｅ（ＤＡＴ）１２０ｂは、実データであるサブ情報（ＤＡＴ）が格納されている。また、送信Ｐｈａｓｅ１２０ｃは、送信Ｐｈａｓｅ１２０の最後尾に位置しており、送信Ｐｈａｓｅ１２０の終了を指示するための終了コード（ＥＯＦ）が格納されている。
【００３９】
上記のようなデータ構成により、ＣＰＵ１１では受信した画像表示用データ１００のうち、表示Ｐｈａｓｅ１１０と送信Ｐｈａｓｅ１２０とを区別することができる。そして、本実施の形態では、ＣＰＵ１１の内蔵ＲＡＭ（図示外）において、表示Ｐｈａｓｅ１１０と送信Ｐｈａｓｅ１２０とが各々異なる記憶領域に格納されて、ＬＥＤディスプレイ部１３での画像表示に各々利用される。なお、以下ではＬＥＤディスプレイ部１３に表示される画像のうち、表示Ｐｈａｓｅ１１０に基づく画像を「メイン画像」といい、送信Ｐｈａｓｅ１２０に基づく画像を「サブ画像」という。
【００４０】
情報表示装置１０のメイン処理（図３）に戻り、画像表示用データ１００に基づいて画像表示が開始されると（Ｓ７）、まず表示Ｐｈａｓｅ１１０に基づいてメイン画像を表示するための表示Ｐｈａｓｅポート制御が実行される（Ｓ９）。
【００４１】
ここで、表示Ｐｈａｓｅポート制御（Ｓ９）の詳細について説明する。図５に示すように、表示Ｐｈａｓｅポート制御（Ｓ９）では、表示Ｐｈａｓｅ１１０に基づいて、各フレームごとに８つのコラムＣ０〜Ｃ７を順にスキャンすることで、各コラムＣ０〜Ｃ７に対応する一組のＬＥＤ（（Ｒｒ０，Ｒｇ０，Ｒｂ０）〜（Ｒｒ７，Ｒｇ７，Ｒｂ７））を順に点滅駆動させてフルカラーによるドット表示を行う、いわゆる単純マトリックス制御が実行される。各ドットにおける発光色やと明るさは、一組のＬＥＤ（Ｒｒ，Ｒｇ，Ｒｂ）のＤｕｔｙ比を調整することで行われる。例えば、図５の場合、ＬＥＤ（Ｒｒ０）に対して、コラムＣ２によるＤｕｔｙ比（２／４），コラムＣ４によるＤｕｔｙ比（０／４），コラムＣ３によるＤｕｔｙ比（１／４）とされた場合を例示しており、Ｄｕｔｙ比が大きいほどＬＥＤ（Ｒｒ０）は長時間発光して、当該ドットの赤成分が強くなる。
【００４２】
本実施の形態では、表示Ｐｈａｓｅ１１０は５０フレームで構成されているため、各コラムＣ０〜Ｃ７について５０回のスキャンが行われて、メイン情報「今日の温度（３０℃）」が示されたメイン画像が表示される。すなわち、ＬＥＤディスプレイ部１３にはメイン画像が長時間（５０フレーム分）で表示されるため、利用者は残像現象によってメイン情報「今日の温度（３０℃）」を視認することができる。
【００４３】
このように、表示Ｐｈａｓｅポート制御（Ｓ９）ではフレーム単位でメイン画像の表示が実行される。そして、１フレームの表示制御が終了した場合（Ｓ１１：ＹＥＳ）、全フレームの表示制御が終了して、表示Ｐｈａｓｅポート制御が終了していれば（Ｓ１３：ＹＥＳ）、送信Ｐｈａｓｅ１２０に基づいてサブ画像を表示するための送信Ｐｈａｓｅポート制御が実行される（Ｓ１５）。なお、各フレームの表示制御が終了していない場合（Ｓ１１：ＮＯ）、Ｓ９に戻って当該フレームの表示制御が終了するまで待ち状態となる。また、表示Ｐｈａｓｅポート制御が終了していない場合（Ｓ１３：ＮＯ）、Ｓ９に戻って次のフレームの表示制御が実行される。
【００４４】
ここで、送信Ｐｈａｓｅポート制御（Ｓ１５）の詳細について説明する。図６に示すように、送信Ｐｈａｓｅポート制御（Ｓ１５）では、送信Ｐｈａｓｅ１２０に基づいて、表示Ｐｈａｓｅポート制御（Ｓ９）と同様に単純マトリックス制御によって、メイン画像を表示したＬＥＤディスプレイ部１３にサブ情報に対するサブ画像がフルカラーで画像表示される。
【００４５】
本実施の形態では、送信Ｐｈａｓｅ１２０は２フレームで構成されているため、各コラムＣ０〜Ｃ７について２回のスキャンが行われる。そして、送信Ｐｈａｓｅ１２０を構成する２フレームのうち、先頭の１フレームは情報取得装置２０と同期をとるための所定パターンのプリアンブル（Ｐｒｅａｍｂｌｅ）信号である。また、末尾の１フレームは、送信Ｐｈａｓｅ（ＳＯＦ）１２０ａであれば開始コード（ＳＯＦ）であり、送信Ｐｈａｓｅ（ＤＡＴ）１２０ｂであればサブ情報（ＤＡＴ）であり、送信Ｐｈａｓｅ（ＥＯＦ）１２０ｃであれば終了コード（ＥＯＦ）である。
【００４６】
よって、メイン画像を表示したＬＥＤディスプレイ部１３には、プリアンブル信号に基づくサブ画像の後に、開始コード（ＳＯＦ），サブ情報（ＤＡＴ），終了コード（ＥＯＦ）のいずれかに基づくサブ画像が表示されるが、いずれも短時間（１フレーム分）での表示であるため、利用者は視認することができない。なお、送信Ｐｈａｓｅ１２０は、周波数変調によって各コラムＣ０〜Ｃ７ごとに「０」又は「１」の１ビットに変換されて、８ビットを表すドットパターンとしてサブ画像が表示される。例えば、図６の場合、波長の短い場合を「１」、波長が長い場合を「０」として、プリアンブル信号に基づくサブ画像として、「１１１１１１１０」を示すドットパターンが表示される場合を例示している。また、サブ情報（ＤＡＴ）に基づくサブ画像として、「１００１１１０１」を示すドットパターンが表示される場合を例示している。
【００４７】
このように、送信Ｐｈａｓｅポート制御（Ｓ１５）ではフレーム単位でサブ画像の表示が実行される。そして、１フレームの表示制御が終了した場合（Ｓ１７：ＹＥＳ）、全フレームの表示制御が終了して、送信Ｐｈａｓｅポート制御が終了していれば（Ｓ１９：ＹＥＳ）、一組の表示Ｐｈａｓｅ１１０と送信Ｐｈａｓｅ１２０の表示制御が終了する。なお、各フレームの表示制御が終了していない場合（Ｓ１７：ＮＯ）、Ｓ１５に戻って当該フレームの表示制御が終了するまで待ち状態となる。また、送信Ｐｈａｓｅポート制御が終了していない場合（Ｓ１９：ＮＯ）、Ｓ１５に戻って次のフレームの表示制御が実行される。
【００４８】
その後、新たな画像表示用データ１００を受信していない場合は（Ｓ２１：ＮＯ）、Ｓ９に戻って次の表示Ｐｈａｓｅ１１０及び送信Ｐｈａｓｅ１２０の表示制御を実行する処理が、新たな画像表示用データ１００を受信するまで繰り返し実行される（Ｓ９〜Ｓ２１：ＮＯ）。なお、本実施の形態では、画像表示用データ１００の末尾のフレーム（ここでは、送信Ｐｈａｓｅ（ＥＯＦ）１２０ｃ）まで表示制御を実行した場合は、先頭のフレームに戻って表示制御を実行する。よって、新たな画像表示用データ１００を受信するまで、現在の画像表示用データ１００に基づく画像が、ＬＥＤディスプレイ部１３に繰り返し表示されることになる。
【００４９】
一方、新たな画像表示用データ１００を受信している場合は（Ｓ２１：ＹＥＳ）、Ｓ３に戻ってデータ受信処理が実行される。Ｓ３では、ＣＰＵ１１の内蔵ＲＡＭ（図示外）に記憶されている画像表示用データ１００が削除されて、新たな画像表示用データ１００が内蔵ＲＡＭ（図示外）に記憶される。そして、以降では、新たな画像表示用データ１００に基づいてＬＥＤディスプレイ部１３に画像表示が実行される（Ｓ７〜Ｓ２１：ＮＯ）。
【００５０】
このように、情報表示装置１０のメイン処理（図３）では、画像表示用データ１００に基づいてＬＥＤディスプレイ部１３にメイン画像が表示される結果、利用者はメイン情報「今日の温度（３０℃）」を視認できる一方、サブ情報「昨日の温度（２５℃）」などをドットパターンで示すサブ画像が、メイン画像の表示の合間にごく微小な時間で利用者が視認できないように表示されることになる。
【００５１】
次に、本発明に係る情報取得装置２０のメイン処理を説明する。図７は、情報取得装置２０のメイン処理を示すフローチャートである。なお、情報取得装置２０のメイン処理（図７）は、情報取得装置２０の電源がオンされて、利用者によりフォトセンサ２２の画像読取りが指示されると、ＣＰＵ２１により実行される。また、以下では、利用者は情報取得装置２０を情報表示装置１０に向けて、フォトセンサ２２がＬＥＤディスプレイ部１３の画像を読取り可能な状態を、その読取が完了するまで保持しているものとする。
【００５２】
図７に示すように、情報取得装置２０のメイン処理では、まずフォトセンサ２２によりＬＥＤディスプレイ部１３に表示された画像が、８ビットを示すドットパターンとして読取られて、情報取得装置２０に受信される（Ｓ５１）。そして、Ｓ５１で受信されたドットパターンがＡ／Ｄ変換器２３により復調されて、周波数変調前の信号が取得される（Ｓ５３）。
【００５３】
その結果、Ｓ５３で復調された信号がプリアンブル信号であれば（Ｓ５５：ＹＥＳ）、情報表示装置１０では送信Ｐｈａｓｅポート制御（Ｓ１５）が実行されているから、さらに次のフレームを示す８ビットのドットパターンが受信及び復調される（Ｓ５７，Ｓ５９）。その結果、Ｓ５９で復調された信号が開始コード（ＳＯＦ）であれば（Ｓ６１：ＹＥＳ）、送信Ｐｈａｓｅ（ＳＯＦ）１２０ａに基づくサブ画像が読取られて、開始コード（ＳＯＦ）が取得されたことになる。そして、情報表示装置１０では送信Ｐｈａｓｅ（ＳＯＦ）１２０ａに続いて送信Ｐｈａｓｅ（ＤＡＴ）１２０ｂが表示制御されるから、以下では送信Ｐｈａｓｅ（ＤＡＴ）１２０ｂに基づくサブ画像を取得する処理が実行される。
【００５４】
なお、Ｓ５３で復調された信号がプリアンブル信号でない場合は（Ｓ５５：ＮＯ）、情報表示装置１０では表示Ｐｈａｓｅポート制御（Ｓ９）が実行されているから、当該復調信号は破棄されて、Ｓ５１に戻ってプリアンブル信号の受信を待ち受ける。また、Ｓ５９で復調された信号が開始コード（ＳＯＦ）でない場合も（Ｓ６１：ＮＯ）、送信Ｐｈａｓｅ１２０の先頭フレーム（送信Ｐｈａｓｅ（ＳＯＦ）１２０ａ）からデータ受信を開始するために、Ｓ５１に戻って開始コード（ＳＯＦ）の受信を待ち受ける。
【００５５】
そして、開始コード（ＳＯＦ）の受信後は、８ビットのドットパターンが受信及び復調され（Ｓ６３，Ｓ６５）、Ｓ６５で復調された信号がプリアンブル信号であれば（Ｓ６７：ＹＥＳ）、引き続き８ビットのドットパターンが受信及び復調される（Ｓ６９，Ｓ７１）。その結果、Ｓ７１で復調された信号が終了コード（ＥＯＦ）でなければ（Ｓ７３：ＮＯ）、送信Ｐｈａｓｅ（ＤＡＴ）１２０ｂに基づくサブ画像が読取られて、サブ情報（ＤＡＴ）が取得されたことになる。よって、このサブ情報（ＤＡＴ）はＣＰＵ２１の内蔵ＲＡＭ（図示外）に記憶されて（Ｓ７５）、Ｓ６３に戻る。これにより、Ｓ６３〜Ｓ７５のループ処理が、送信Ｐｈａｓｅ１２０の開始（送信Ｐｈａｓｅ（ＳＯＦ）１２０ａ）から終了（送信Ｐｈａｓｅ（ＥＯＦ）１２０ｃ）まで繰り返し実行されて、複数の送信Ｐｈａｓｅ（ＤＡＴ）１２０ｂにそれぞれ分割して格納されたサブ情報（ＤＡＴ）が、ＣＰＵ２１の内蔵ＲＡＭ（図示外）に記憶される。
【００５６】
一方、Ｓ６５で復調された信号がプリアンブル信号でない場合は（Ｓ６７：ＮＯ）、情報表示装置１０では表示Ｐｈａｓｅポート制御（Ｓ９）が実行されているから、当該復調信号は破棄されて、Ｓ６３に戻ってプリアンブル信号の受信を待ち受ける。また、Ｓ７１で復調された信号が終了コード（ＥＯＦ）であれば（Ｓ７３：ＹＥＳ）、送信Ｐｈａｓｅ１２０の全フレームの読取りが終了したことになる。よって、ＣＰＵ２１の内蔵ＲＡＭ（図示外）に記憶されたサブ情報（ＤＡＴ）が、そのドットパターンに対応するテキスト情報（サブ情報）に変換されて、サブ情報「昨日の温度（２５℃）」が液晶ディスプレイ２４に表示される（Ｓ７７）。その後、Ｓ５１に戻る。
【００５７】
このように、情報取得装置２０のメイン処理（図７）では、利用者がＬＥＤディスプレイ部１３に表示されたメイン画像を見て、メイン情報「今日の温度（３０℃）」について詳細を知りたいと思った場合などに、フォトセンサ２２でＬＥＤディスプレイ部１３に表示されるサブ画像を読取らせることで、サブ情報「昨日の温度（２５℃）」を液晶ディスプレイ２４に表示させることができる。
【００５８】
以上、第１の実施の形態に係る情報提供システム１によれば、情報表示装置１０において、利用者が視認可能なメイン画像を表現する表示Ｐｈａｓｅ１１０と、情報取得装置２０が読取り可能なサブ画像を表現する送信Ｐｈａｓｅ１２０とを含む画像表示用データ１００に基づいて、ＬＥＤディスプレイ部１３に設けられた複数のＬＥＤを各々駆動させるようにした。そして、情報取得装置２０において、情報表示装置１０で表示された画像を読取ってサブ画像を抽出し、そのサブ画像をサブ情報に変換して出力するようにした。よって、ＬＥＤディスプレイ部１３がメイン画像の表示とサブ画像の表示とを兼用させるので、表示能力の小さいＬＥＤディスプレイ部１３を用いても、利用者に対してメイン情報を表示する一方、利用者が欲する場合にはサブ情報を伝達して、情報取得装置２０で出力させることができる。
【００５９】
また、表示Ｐｈａｓｅ１１０と送信Ｐｈａｓｅ１２０とが交互に複数並べられたデータ列で、画像表示用データ１００を構成した。よって、１つの画像表示用データ１００に基づいて、ＬＥＤディスプレイ部１３でメイン画像及びサブ画像を交互に表示することができる。
【００６０】
そして、メイン画像は少なくとも利用者が視認可能となる表示時間で表示され、サブ画像は少なくとも情報取得装置２０が読取り可能であり、かつ利用者が視認できない表示時間で表示されるようにした。よって、ＬＥＤディスプレイ部１３に表示される画像のうちで、利用者はメイン画像のみを視認することができる一方、情報取得装置２０はサブ画像のみを取得することができる。
【００６１】
さらに、送信Ｐｈａｓｅ１２０はデータ列の先頭にプリアンブル信号を含むようにした。よって、ＬＥＤディスプレイ部１３に表示される画像のうちで、情報取得装置２０はサブ画像のみを確実に判別して取得することができる。
【００６２】
次に、本発明の第２の実施の形態に係る情報提供システム１を説明する。第２の実施の形態に係る情報提供システム１は、第１の実施の形態と基本的に同一構成であるが、画像表示用データ１００のデータ構成及びＬＥＤディスプレイ部１３での画像表示態様が異なる。図８は、第２の実施の形態における、ＬＥＤディスプレイ部１３のイメージ図である。図９は、第２の実施の形態における、画像表示用データ１００のデータ構成を示す図である。図１０は、第２の実施の形態における、情報表示装置１０のメイン処理を示すフローチャートである。図１１は、第２の実施の形態における、情報取得装置２０のメイン処理を示すフローチャートである。
【００６３】
図８に示すように、本実施の形態に係るＬＥＤディスプレイ部１３では、その中央部付近にメイン画像（ここでは「Ａ」）が表示されており、このメイン画像の表示に用いられるドット（ＬＥＤ）が情報表示部１３ａである。一方、情報表示部１３ａでないドット（ＬＥＤ）、すなわちメイン画像の背景領域が情報送信部１３ｂであり、この情報送信部１３ｂを構成するドット（ＬＥＤ）を用いてサブ画像が表示される。
【００６４】
図９に示すように、本実施の形態に係る画像表示用データ１００は、利用者に提供するメイン情報を示し、かつ利用者が視認可能なメイン画像を表現する表示用データ領域１３０と、利用者に提供するサブ情報を示し、かつ情報取得装置２０が読取り可能なサブ画像を表現する送信用データ領域１４０とを並列に包含したデータ列で構成されている。
【００６５】
そして、図９では便宜上、表示用データ領域１３０と送信用データ領域１４０とを分けて図示しているが、情報表示装置１０ではＣＰＵ１１により両者を区別せずに同時に表示制御が行われる。すなわち、ＬＥＤディスプレイ部１３の情報表示部１３ａは、表示用データ領域１３０に基づいて赤色以外で発光駆動して、メイン情報をフルカラー表示する。それと同時に、ＬＥＤディスプレイ部１３の情報送信部１３ｂは、送信用データ領域１４０に基づいて赤色で発光駆動して、サブ情報を単色表示する。
【００６６】
なお、送信用データ領域１４０は、情報送信部１３ｂを赤色で発光駆動させる所定長（例えば、４８フレーム）のダミー信号の合間の各々に、プリアンブル信号とともに開始コード（ＳＯＦ），サブ情報（ＤＡＴ），終了コード（ＥＯＦ）のいずれかが順番に埋め込まれて構成されている。すなわち、送信用データ領域１４０のデータ列は、「プリアンブル信号（１フレーム）＋開始コード（ＳＯＦ）（１フレーム）」→「ダミー信号（４８フレーム）」→「プリアンブル信号（１フレーム）＋サブ情報（ＤＡＴ）（１フレーム）」→・・・→「ダミー信号（４８フレーム）」→「プリアンブル信号（１フレーム）＋終了コード（ＥＯＦ）（１フレーム）」となっている。なお、ダミー信号とは、データ送信以外の期間は、情報送信部１３ｂを構成する全ドットを赤色で発光させるための信号である。
【００６７】
図１０に示すように、本実施の形態に係る情報表示装置１０のメイン処理では、Ｓ１０１〜Ｓ１０７は、第１の実施の形態（図３）のＳ１〜Ｓ９と同様であるが、表示開始後（Ｓ１０７）に表示ポート制御（Ｓ１０９）が実行される。Ｓ１０９では、第１の実施の形態のように表示Ｐｈａｓｅ１１０や送信Ｐｈａｓｅ１２０を区別することなく、ＬＥＤディスプレイ部１３に対して画像表示用データ１００に基づく表示制御が実行される。すなわち、表示用データ領域１３０に基づいて、情報表示部１３ａを構成する複数のＬＥＤを駆動してメイン画像を表示する。それと同時に、送信用データ領域１４０に基づいて、情報表示部１３ａを構成しないＬＥＤ、つまり、情報送信部１３ｂを構成する複数のＬＥＤを駆動してサブ画像を表示する。
【００６８】
そして、新たな画像表示用データ１００を受信していない場合は（Ｓ１１１：ＮＯ）、Ｓ１０９に戻ってＣＰＵ１１の内蔵ＲＡＭ（図示外）に記憶された画像表示用データ１００をループ表示する一方、新たな画像表示用データ１００を受信していない場合は（Ｓ１１１：ＹＥＳ）、Ｓ１０３に戻って内蔵ＲＡＭ（図示外）の画像表示用データ１００を更新し、新たな画像表示用データ１００に基づいて表示制御を行う。
【００６９】
これにより、図８に示すように、ＬＥＤディスプレイ部１３において、情報表示部１３ａに表示されるメイン画像によって、利用者はメイン情報「Ａ」を視認することができる。それと同時に、情報送信部１３ｂにはダミー信号による赤色が表示されるが、所定のタイミングでサブ情報（ＤＡＴ）などを示すサブ画像が、利用者が視認できないような短時間で表示される。
【００７０】
一方、図１１に示すように、本実施の形態に係る情報取得装置２０のメイン処理は、第１の実施の形態（図７）と同様であるが、８ビット受信（Ｓ１５１，Ｓ１５７，Ｓ１６３，Ｓ１６９）の前に、フォトセンサ２２により取得された画像から赤色成分を抽出するフィルタリング入力処理（Ｓ１５０，Ｓ１５６，Ｓ１６２，Ｓ１６８）が実行される点が異なる。これにより、ＬＥＤディスプレイ部１３で表示された画像のうちで、情報送信部１３ｂで表示されたサブ画像のみを取得することができる。
【００７１】
以上、第２の実施の形態に係る情報提供システム１によれば、表示用データ領域１３０と送信用データ領域１４０とを並列に包含したデータ列で、画像表示用データ１００を構成した。よって、１つの画像表示用データ１００に基づいて、ＬＥＤディスプレイ部１３でメイン画像及びサブ画像を同時に表示することができる。
【００７２】
また、画像表示用データ１００は、表示用データ領域１３０に基づいて情報表示部１３ａを構成するＬＥＤを駆動させると同時に、送信用データ領域１４０に基づいて情報送信部１３ｂを構成するＬＥＤを駆動させる。そして、メイン画像とサブ画像とを各々異なる表示領域に表示させる。さらに、メイン画像とサブ画像とを各々異なる色調で表示させる。よって、ＬＥＤディスプレイ部１３において、メイン画像とサブ画像とを区別して表示することができる。
【００７３】
次に、本発明の第３の実施の形態に係る情報提供システム１を説明する。第２の実施の形態に係る情報提供システム１は、第１の実施の形態と基本的に同一構成であるが、ＬＥＤディスプレイ部１３での構成が異なる。図１２は、第３の実施の形態における、情報提供システム１のシステム構成図である。図１３は、第３の実施の形態における、情報表示装置１０に具備されたＬＥＤディスプレイ部１３に内蔵されているＬＥＤ駆動回路である。図１４は、第３の実施の形態における、表示Ｐｈａｓｅポート制御（Ｓ９）を説明するためのタイムチャートである。図１５は、第３の実施の形態における、送信Ｐｈａｓｅポート制御（Ｓ１５）を説明するためのタイムチャートである。
【００７４】
図１２に示すように、本実施の形態に係る情報提供システム１は、基本的に第１の実施の形態（図１）と同じであるが、ＬＥＤディスプレイ部１３が単色ＬＥＤのみを用いてモノクロで画像を表示する単色ディスプレイである点が異なる。
【００７５】
図１３に示すように、本実施の形態に係るＬＥＤディスプレイ部１３は従来のＬＥＤディスプレイ部と同様のＬＥＤ駆動回路を内蔵しており、本実施の形態では８×８ドットでモノクロ表示が可能なものである。具体的には、デジタル信号が制御されるＣＰＵ１１のポートに対応する８つのコラムＣ０〜Ｃ７と、電源（Ｐｏｗｅｒ）が制御される８つのトランジスタＴｒ０〜Ｔｒ７との６４交点の各々に単色ＬＥＤが設置されている。このように、多数のＬＥＤがマトリクス状に配置されたＬＥＤディスプレイ部１３では、コラムＣ０〜Ｃ７及びトランジスタＴｒ０〜Ｔｒ７の制御によって、各交点での単色ＬＥＤを点滅駆動させて明るさを調整し、モノクロで１ドットを表示する。これにより、画像表示用データ１００に基づいて、各種情報を示す画像が６４ドットを用いてモノクロで表示される。
【００７６】
そして、本実施の形態に係る情報表示装置１０のメイン処理は第１の実施の形態（図３）と同様であり、情報取得装置２０のメイン処理は第１の実施の形態（図７）と同様である。なお、表示Ｐｈａｓｅポート制御（Ｓ９）及び送信Ｐｈａｓｅポート制御（Ｓ１５）における、ＬＥＤディスプレイ部１３の表示制御は以下のようになる。
【００７７】
図１４に示すように、本実施の形態に係る表示Ｐｈａｓｅポート制御（Ｓ９）は、第１の実施の形態（図５）と同様に、各コラムＣ０〜Ｃ７に対応するＬＥＤ（Ｒ１〜Ｒ７）を順に点滅駆動させてドット表示を行う単純マトリックス制御によるモノクロ画像表示が実行される。各ドットにおける明るさは、各ＬＥＤのＤｕｔｙ比を調整することで行われる。また、図１５に示すように、本実施の形態に係る送信Ｐｈａｓｅポート制御（Ｓ１５）も、表示Ｐｈａｓｅポート制御（Ｓ９）と同様にして、単純マトリックス制御によるモノクロ画像表示が実行される。
【００７８】
このように、本実施の形態では、ＬＥＤディスプレイ部１３がフルカラー表示だけでなくモノクロ表示であっても適用できることを例示した。また、ＬＥＤディスプレイ部１３の表示能力を８×８ドットとしているが、この表示能力は任意とすることができる（例えば、１６×１６ドットや４×４ドットなど）。また、ＬＥＤディスプレイ部１３は正方形状の小型ディスプレイとしているが、ディスプレイのサイズや形状などは任意とすることができる（例えば、より大型の長方形状又は円形状のディスプレイなど）。
【００７９】
さらに、本実施の形態ではＬＥＤディスプレイ部１３を「表示器」として用いているが、利用者が視認可能なメイン画像を表示でき、かつ情報取得装置２０が読取り可能なサブ画像を表示できるものであれば、各種表示機器を利用することができる。例えば、ＬＥＤディスプレイ部１３に代えて、有機ＥＬディスプレイ，液晶ディスプレイ，ＣＲＴディスプレイなどを「表示器」として利用することができる。
【００８０】
以上、第３の実施の形態に係る情報提供システム１によれば、ＬＥＤディスプレイ部１３を単色ディスプレイとして構成しても、本発明を適用することができる。すなわち、本発明に係る「表示器」は、利用者が視認でき、かつ情報取得装置２０が読取り可能な画像を表示できるものであれば、様々な表示性能や表示方式の表示機器を利用することができる。
【００８１】
ところで、上記第１乃至３の実施の形態において、画像表示用データ１００が本発明の「表示データ」に相当し、ＬＥＤディスプレイ部１３が「表示器」に相当する。そして、メイン情報が本発明の「第１情報」に相当し、表示Ｐｈａｓｅ１１０及び表示用データ領域１３０が本発明の「第１情報データ」に相当する。サブ情報が本発明の「第２情報」に相当し、送信Ｐｈａｓｅ１２０及び送信用データ領域１４０が本発明の「第２情報データ」に相当する。そして、ＣＰＵ１１が本発明の「画素駆動手段」に相当する。また、フォトセンサ２２が本発明の「画像読取手段」に相当し、Ａ／Ｄ変換器２３及びＣＰＵ２１が本発明の「第２情報データ抽出手段」及び「情報変換手段」に相当し、液晶ディスプレイ２４が本発明の「情報出力手段」に相当する。
【００８２】
なお、本発明の情報表示装置及び情報提供システムは、上記した実施の形態に限定されるものではなく、本発明の要旨を逸脱しない範囲内において種々変更を加え得ることは勿論である。
【００８３】
例えば、画像表示用データ１００のデータ構成は、図４又は図９に示すものに限定されず、様々なデータ構成とすることができる。例えば、図４に示すように、複数データに分割して送信するものに代えて、複数の表示Ｐｈａｓｅ１１０を一括して送信し、その後に複数の送信Ｐｈａｓｅ１２０を一括して送信するようにしてもよい。
【００８４】
また、表示Ｐｈａｓｅ１１０及び送信Ｐｈａｓｅ１２０のフレーム長は任意とすることができる。すなわち、表示Ｐｈａｓｅ１１０は、利用者が視認可能な時間で表示されるものであれば、フレーム長を５０フレームより小さくすることができる。また、送信Ｐｈａｓｅ１２０は、情報取得装置２０が読取可能な時間で表示されるものであれば、フレーム長を２フレームより小さくすることができる。なお、送信Ｐｈａｓｅ１２０は、フレーム長を２フレームより大きくすることができるが、利用者が視認不可能な時間で表示されるものであることが望ましい。
【００８５】
また、上記実施の形態では、送信Ｐｈａｓｅ１２０（送信用データ領域１４０）には、開始コード（ＳＯＦ）と終了コード（ＥＯＦ）とを具備させて、情報取得装置２０でデータ読取の同期をとって、サブ画像がデータ列の先頭から順番に表示されるようにしている。これに代えて、開始コード（ＳＯＦ）と終了コード（ＥＯＦ）とを具備せず、サブ情報（ＤＡＴ）のみを格納するようにしてもよい。この場合、情報取得装置２０ではサブ画像がデータ列の途中から表示が開始されるが、当該サブ画像をループ表示するようにすればよい。
【００８６】
また、第２の実施の形態において、ＬＥＤディスプレイ部１３のドット（ＬＥＤ）のうち、メイン画像の表示に用いられる情報表示部１３ａ以外を情報送信部１３ｂとして動的に用いている。これに代えて、ＬＥＤディスプレイ部１３のドット（ＬＥＤ）のうち、メイン画像の表示に用いられる情報表示部１３ａと、サブ画像の表示に用いられる情報送信部１３ｂとを固定して用いてもよい。
【００８７】
また、上記実施の形態では、情報取得装置２０の「画像読取手段」としてフォトセンサ２２を用いているが、ＬＥＤディスプレイ部１３から有効に８ビットのドットコードを読取ることができるのであれば、他のカメラ手段やビデオ手段などのイメージセンサを用いることができることは言うまでもない。
【産業上の利用可能性】
【００８８】
本発明の情報表示装置及び情報提供システムは、利用者に対して各種情報を表示するとともに、外部機器で出力すべき情報を伝達するための装置等として利用できる。
【図面の簡単な説明】
【００８９】
【図１】情報提供システム１のシステム構成図である。
【図２】情報表示装置１０に具備されたＬＥＤディスプレイ部１３に内蔵されているＬＥＤ駆動回路である。
【図３】情報表示装置１０のメイン処理を示すフローチャートである。
【図４】画像表示用データ１００のデータ構成を示す図である。
【図５】表示Ｐｈａｓｅポート制御（Ｓ９）を説明するためのタイムチャートである。
【図６】送信Ｐｈａｓｅポート制御（Ｓ１５）を説明するためのタイムチャートである。
【図７】情報取得装置２０のメイン処理を示すフローチャートである。
【図８】第２の実施の形態における、ＬＥＤディスプレイ部１３のイメージ図である。
【図９】第２の実施の形態における、画像表示用データ１００のデータ構成を示す図である。
【図１０】第２の実施の形態における、情報表示装置１０のメイン処理を示すフローチャートである。
【図１１】第２の実施の形態における、情報取得装置２０のメイン処理を示すフローチャートである。
【図１２】第３の実施の形態における、情報提供システム１のシステム構成図である。
【図１３】第３の実施の形態における、情報表示装置１０に具備されたＬＥＤディスプレイ部１３に内蔵されているＬＥＤ駆動回路である。
【図１４】第３の実施の形態における、表示Ｐｈａｓｅポート制御（Ｓ９）を説明するためのタイムチャートである。
【図１５】第３の実施の形態における、送信Ｐｈａｓｅポート制御（Ｓ１５）を説明するためのタイムチャートである。
【符号の説明】
【００９０】
１    情報提供システム
１０    情報表示装置
１１    ＣＰＵ
１２    コネクタ
１３    ＬＥＤディスプレイ部
１３ａ    情報表示部
１３ｂ    情報送信部
２０    情報取得装置
２１    ＣＰＵ
２２    フォトセンサ
２３    Ａ／Ｄ変換器
２４    液晶ディスプレイ
１００    画像表示用データ
１１０  表示Ｐｈａｓｅ
１２０  送信Ｐｈａｓｅ
１３０    表示用データ領域
１４０    送信用データ領域
【図１】
2006330092.tif 000003
【図２】
2006330092.tif 000004
【図３】
2006330092.tif 000005
【図４】
2006330092.tif 000006
【図５】
2006330092.tif 000007
【図６】
2006330092.tif 000008
【図７】
2006330092.tif 000009
【図８】
2006330092.tif 000010
【図９】
2006330092.tif 000011
【図１０】
2006330092.tif 000012
【図１１】
2006330092.tif 000013
【図１２】
2006330092.tif 000014
【図１３】
2006330092.tif 000015
【図１４】
2006330092.tif 000016
【図１５】
2006330092.tif 000017
【手続補正書】
【提出日】平成17年5月23日(2005.5.23)
【手続補正１】
【補正対象書類名】図面
【補正対象項目名】図１４
【補正方法】変更
【補正の内容】
【図１４】
2006330092.tif 000018
【手続補正２】
【補正対象書類名】図面
【補正対象項目名】図１５
【補正方法】変更
【補正の内容】
【図１５】
2006330092.tif 000019